(57)【特許請求の範囲】
【請求項１】
略水平に回転自在に軸支され、かつ外周面に付着させた原料溶液を乾燥固化または冷却固化させるドラムと、該乾燥固化または冷却固化した固形物を上記ドラム外周から掻き落すスクレーパーと、該スクレーパーを上記ドラムに接触または接近するように進退させるスクレーパー調節杆とを備え、該スクレーパー調節杆は、回転自在に水平支持された支持筒の内周面に一部で螺合され、支持筒の操作用ハンドルの回動操作によって該支持筒が回動し、この支持筒にねじ込まれた該スクレーパー調節杆が軸方向に移動する溶液固化装置において、該スクレーパー調節杆に連結され、該支持筒の操作用ハンドルの回動操作により該スクレーパーの進退量を調節するスクレーパー調整機構を設け、更に、操作量に対して該スクレーパーの進退量を十分に小さくするスクレーパー微調整機構を連設するように構成したことを特徴とし、該スクレーパー微調整機構のギヤーは通常は該支持筒の外周に固定されたスパーギャーに対しフリー状態にあり、微調整の必要がある場合のみクラッチ操作により該スクレーパー微調整機構のギヤーと該スパーギャーが噛合され、微調用ハンドルの操作により該支持筒が微回動し該スクレーパー進退量の微調整を可能とすることを特徴とする溶液固化装置。
【請求項２】
上記スクレーパーの進退量を検知して表示器に表示するダイヤルゲージを設けたことを特徴とする請求項１に記載の溶液固化装置。
【発明の詳細な説明】
【０００１】
【発明の属する技術分野】
この発明は、原料溶液をドラムの外周に付着させて乾燥または冷却させ、その乾燥固化または冷却固化した固形物を掻き取って塊状または粉末状に処理して回収するのに用いる溶液固化装置に関する。
【０００２】
【従来の技術】
化学工業，食品工業分野，排水処理分野では、原料溶液をドラムドライヤーやドラムフレーカーなどと呼ばれるドラムの外周に付着させて、このドラム外周上で固化した原料を塊状や粉末状に処理して回収する溶液固化装置が、従来から多数提案されている。
【０００３】
このような溶液固化装置は、受け鍋に収容した原料溶液の中に、水平軸を中心に回転する上記ドラムの一部を浸漬し、このドラム外周に原料溶液を付着させるとともに、そのドラム内にスチームなどの熱媒または冷却水を供給することにより、その原料溶液をドラム外周で加熱乾燥または冷却して固化させ、これをスクレーパーにより掻き落すなどして、塊状や粉末に処理し、回収するというものであった。
【０００４】
ところで、上記ドラムドライヤーやドラムフレーカーでは、ドラム表面に固化した固形物をスクレーパーで掻き取る場合に、その固形物の性状に応じて、スクレーパーをドラム表面に密接させる場合と、密接させずに若干隙間を持たせる場合とがある。
【０００５】
このため、スクレーパーのドラムの表面に対する位置調整を、例えばＭ４５Ｐ２のネジにより行い、ハンドルの１回転の操作で、スクレーパーを２ｍｍ移動させるようにしていた。
【０００６】
特に、上記のように若干隙間を持つようにスクレーパーの移動を調整する場合には、ドラム表面に対するスクレーパーの接触がないことによって、そのスクレーパーやドラム表面の摩擦が避けられるため、これらの寿命を延ばすことができる。一方、このような調整では細心の注意を払う必要があり、作業者によりその隙間間隔にばらつきを生じている。
【０００７】
一方、これに対して、上記隙間を計測できるように、上記スクレーパーを操作するスクレーパー調節杆端にダイヤルゲージを直接接触せしめて、上記調節されるスクレーパーの移動量を監視するようにしたものが提案されている。
【０００８】
【発明が解決しようとする課題】
しかしながら、かかる従来の溶液固化装置にあっては、上記ハンドルり１回転操作によって大きく変化するスクレーパー調節杆の移動量を、これに直接接触せしめたダイヤルゲージの表示を読むことによって、監視していたため、微小な移動量の調整および監視が難しいという課題があった。
【０００９】
この発明は上記のような課題を解決しようとするものであり、ドラム外周とスクレーパーとの間の隙間を微小調整可能にするとともに、この調整をその隙間寸法のダイヤルゲージによる表示結果に従って、高精度に実施することができる溶液固化装置を得ることを目的とする。
【００１０】
【課題を解決するための手段】
請求項１の発明にかかる溶液固化装置は、略水平に回転自在に軸支され、かつ外周面に付着させた原料溶液を乾燥固化または冷却固化させるドラムと、該乾燥固化または冷却固化した固形物を上記ドラム外周から掻き落すスクレーパーと、該スクレーパーを上記ドラムに接触または接近するように進退させるスクレーパー調節杆とを備え、該スクレーパー調節杆は、回転自在に水平支持された支持筒の内周面に一部で螺合され、支持筒の操作用ハンドルの回動操作によって該支持筒が回動し、この支持筒にねじ込まれた該スクレーパー調節杆が軸方向に移動する溶液固化装置において、該スクレーパー調節杆に連結され、該支持筒の操作用ハンドルの回動操作により該スクレーパーの進退量を調節するスクレーパー調整機構を設け、更に、操作量に対して該スクレーパーの進退量を十分に小さくするスクレーパー微調整機構を連設するように構成したことを特徴とし、該スクレーパー微調整機構のギヤーは通常は該支持筒の外周に固定されたスパーギャーに対しフリー状態にあり、微調整の必要がある場合のみクラッチ操作により該スクレーパー微調整機構のギヤーと該スパーギャーが噛合され、微調用ハンドルの操作により該支持筒が微回動し該スクレーパー進退量の微調整を可能とするものである。
【００１１】
請求項２の発明にかかる溶液固化装置は、上記スクレーパーの進退量をダイヤルゲージにより検知させて表示器に表示するようにしたものである。
【００１２】
【発明の実施の形態】
以下、この発明の実施の一形態を図についいて説明する。図２はこの発明の溶液固化装置を示す概念図であり、同図において、１は受け鍋であり、この受け鍋１の上方にはドラム２が回転軸３を中心に回転自在に支持されている。
【００１３】
また、このドラム２はこれの外周部分がこれの長手方向に亘って等しい深さまで、受け鍋１内の原料溶液４に浸漬されている。５は上記受け鍋１を支持する支持台であり、必要に応じこの支持台５は一方または両方を伸縮自在の油圧シリンダとすることもできる。
【００１４】
さらに、６は上記受け鍋１内に外部から原料溶液４を供給する供給パイプ、６ａはこの供給パイプ６の途中に設けられた開閉栓、７は上記回転軸３の中心部を貫通し、かつ先端部に加熱蒸気または冷却水を噴射するノズル８を有する蒸気管または冷却管である。
【００１５】
９は上記ドラム２の外周付近を被う板状材からなるドーム形のドラムカバーであり、これの下部付近には、図１に示すように、支持筒１０が水平方向に配設され、この支持筒１０にはこれの内外を貫通するように、スクレーパー調節杆１１が設けられている。
【００１６】
また、このスクレーパー調節杆１１は、軸受１４によって回転自在に水平支持された支持筒１５の内周面に一部で螺合されて、その軸受１４と支持筒１５のドラム側端部（左端部）との間に圧縮ばね１１ａが介装されている。
【００１７】
なお、１１ｂは支持筒１５内に螺合されて、上記螺合位置をロックするロック軸、１１ｃはロック軸操作用のハンドル、１１ｄは支持筒１５の回転操作用のハンドルである。
【００１８】
また、１７は水平の支持軸１８を中心に回動自在に枢支された回動アームであり、この回動アーム１７の先端部には支持板１９を介して板状のスクレーパー２０が取り付けられている。なお、上記支持軸１８は上記支持台５上に設置されている。
【００１９】
上記スクレーパー２０のドラム２側とは反対側の面にはブラケット２３が取り付けられており、このブラケット２３には、上記スクレーパー調節杆１１の先端がピン２４によって回動自在に枢支されている。
【００２０】
また、２８は上記スクレーパー２０の下部に、上記ドラムカバー９の下端に連続するように設けられたシュートである。
【００２１】
また、上記軸受１４は支持枠１２を介して支持台１３上に設立されており、支持枠１２の端部には横コ字状の位置決め枠１６が取り付けられている。そして、この位置決め枠１６の内面にはスクレーパー調節杆１１上に支持具２１を介して固定されたダイヤルゲージ１９の先端が接触している。
【００２２】
２２は上記支持筒１５の一部を被うボックスで、このボックス２２内の上記支持筒１５の外周にはスパーギャー２５が固定されている。このスパーギャー２５は進退軸２６端に固定されたクラッチギャー２７に噛合されている。
【００２３】
また、上記進退軸２６はボックス２２に取り付けられた筒軸受２９内に軸方向移動自在かつ回転自在に支持されて、外端に取り付けられたクラッチ操作杆３０によって、上記のように軸方向移動自在とされている。
【００２４】
従って、進退軸２６の移動によって、クラッチギャー２７をスパーギャー２５に噛合させたり、噛合解除させたりすることができる。
【００２５】
３１は上記ボックス２２に取り付けられたもう一つの筒軸受で、この筒軸受３１には微調用ハンドル３２の中心軸３３が回転自在に支持されており、この中心軸３３の内端にはベベルギャー３４が固定されている。
【００２６】
そして、３５はボックス２２内に横架された軸３６を中心に回転するウォームギャーであり、これが上記ベベルギャー３４に噛合されている。
【００２７】
また、３７は上記ボックス２２内に横架された回転軸で、この回転軸３７には上記ウォームギャー３５に噛合する小径のウォームホイール３８および上記クラッチギャー２７に噛合された大径のスパーギャー３９が取り付けられている。
【００２８】
なお、上記ベベルギャー３４，ウォームギャー３５，ウォームホイール３８，スパーギャー３９およびクラッチギャー２７はスクレーパー微調整機構Ａを構成している。
【００２９】
さらに、４０は上記ボックス２２の上面に取り付けられた表示器であり、上記ダイヤルゲージ１９が検出したスクレーパー調節杆１１の移動量を表示する。
【００３０】
かかる構成になる溶液固化装置にあっては、まず、受け鍋１内に供給パイプ６を通じて原料溶液４を供給して、予め設定された量分貯溜させる。次に、ドラム２内の蒸気管または冷却管７に高温の蒸気または冷却水を送って、ノズル８からドラム２の内周面に向って高圧の蒸気または冷却水を噴射しながら、そのドラム２を加熱または冷却し、これに並行して図示しないモータによりそのドラム２を低速回転させる。
【００３１】
こうすることにより、ドラム２の上記原料溶液４に浸漬している部分から、そのドラム２の外周面に原料溶液４が付着し、上記蒸気による加熱または冷却水による冷却操作によってドラム２に付着した原料溶液４は加熱乾燥または冷却されてシート状固形物となる。
【００３２】
そして、このシート状固形物は上記スクレーパー２０に臨む位置に至って、このスクレーパーにより掻き落される。
【００３３】
この場合において、上記スクレーパー２０のドラム２外周に対する対向距離は、上記スクレーパー調節杆１１の進退操作によって可能となる。
【００３４】
すなわち、上記ハンドル１１ｄを回動操作すると、この回動量に応じて支持筒１５が回動し、この支持筒１５にねじ込まれたスクレーパー調節杆１１はその支持筒１５の軸方向に移動する。
【００３５】
このため、上記スクレーパー調節杆１１端に枢支されたブラケット２３が、回動アーム１７とともにスクレーパー２０をドラム２の外周に沿う最適位置へ接近させて、最適のスクレーパー角および截断角と位置をセットできる。なお、スクレーパー調節杆１１は途中の枢軸部１１ａで曲折可能とされている。
【００３６】
一方、このようなスクレーパー調節杆１１の軸方向移動は、ハンドル１１ｄの操作量に対して比較的大きく、手動操作にて微小移動させることが難しい。
【００３７】
このように、微小移動によってスクレーパー２０とドラム２との間隔を微妙な大きさに制御する必要がある場合には、上記ボックス２２側のクラッチ操作杆３０を操作して、これまでフリーとなっていたクラッチギャー２７をスパーギャー２５およびスパーギャー３９に同時に噛合させる。
【００３８】
次に、上記ハンドル３２を手動にて回動操作し、この回動を中心軸３３，ベベルギャー３４，ウォームギャー３５，軸３６を介してウォームホイール３８に伝える。
【００３９】
これにより、このウォームホイール３８が回転し、これとともに回転軸３７に取り付けられたスパーギャー３９，クラッチギャー２７およびスパーギャー２５が回転する。従って、このスパーギャー２５を有する支持筒１５が回転し、上記同様にしてスクレーパー調節杆１１が移動してスクレーパー２０をドラム２に対して移動させることができる。
【００４０】
こり場合においては、ハンドル３２の回転はベベルギャー３４，ウォームギャー３５，ウォームホイール３８および大径のスパーギャー３９を介して大きく減速されることとなり、スクレーパー調節杆１１の微小移動が可能になる。つまり、スクレーパー２０の移動の微調整を実現できることとなる。
【００４１】
例えば、ハンドル３２の１回転につきスクレーパー２０の移動を０．１ｍｍと従来の１／２０の高精度にて微調整できる。
【００４２】
そして、この調整操作は、ダイヤルゲージ１９の出力を表示器４０に表示させて、これを監視しながら容易かつ迅速に行うことができる。
【００４３】
【発明の効果】
以上のように、請求項１の発明によれば略水平に回転自在に軸支され、かつ外周面に付着させた原料溶液を乾燥固化または冷却固化させるドラムと、該乾燥固化または冷却固化した固形物を上記ドラム外周から掻き落すスクレーパーと、該スクレーパーを上記ドラムに接触または接近するように進退させるスクレーパー調節杆とを備え、該スクレーパー調節杆に、該スクレーパーの進退量を操作量に対して十分に小さくするスクレーパー微調整機構を連設するように構成したので、ドラム外周とスクレーパーとの間隔の微調整を実現できるため、スクレーパーによるドラム外周の固形物の掻き落しを、その固形物の性状に合わせて最適に実現できるという効果が得られる。
【００４４】
また、請求項２の発明によれば上記スクレーパーの進退量をダイヤルゲージにより検知させて表示器に表示するように構成したので、ダイヤルゲージの表示を見ながら最適かつ高精度にドラム外周に対するスクレーパーの移動量を微調整できるという効果が得られる。
【図面の簡単な説明】
【図１】この発明の実施の一形態による溶液固化装置の要部を示す断面図である。
【図２】図１における溶液固化装置の全体を示す概念図である。
【符号の説明】
２  ドラム
４  原料溶液
１１  スクレーパー調節杆
１９  ダイヤルゲージ
２０  スクレーパー
４０  表示器
Ａ  スクレーパー微調整機構
【図１】
0003867282.tif 000002
【図２】
0003867282.tif 000003